(57)【要約】【課題】平面映像を多重化して立体映像を生成する多重映像生成装置を提供する。【解決手段】平面映像を多重化して多重映像を生成する多重映像生成装置Ａであって、内部に多重映像を生成する三角錐状映像生成体１を備えてなるもので、三角錐状映像生成体１が、頂角６３．４度された３枚の２等辺三角形状とされた映像生成要素１０からなるものとされる。【選択図】図１
2008268646.tif 000002
【特許請求の範囲】
【請求項１】
平面映像を多重化して多重映像を生成する多重映像生成装置であって、
内側に多重映像を生成する三角錐状映像生成体を備えてなることを特徴とする多重映像生成装置。
【請求項２】
三角錐状映像生成体が、３枚の２等辺三角形状とされた映像生成要素からなることを特徴する請求項１記載の多重映像生成装置。
【請求項３】
２等辺三角形の頂角が同一角度とされ、前記角度が１０度〜２０度の範囲とされてなることを特徴する請求項２記載の多重映像生成装置。
【請求項４】
２等辺三角形の頂角が、６３．４度とされてなることを特徴する請求項２記載の多重映像生成装置。
【請求項５】
２枚の映像生成要素の２等辺三角形の頂角が、３７．４度とされ、残りの１枚の映像生成要素の２等辺三角形の頂角が、４１．８度とされてなることを特徴する請求項２記載の多重映像生成装置。
【請求項６】
三角錐状映像生成体が、２枚の２等辺三角形状とされた映像生成要素と、１枚の２等辺三角形状とされたミラーとからなることを特徴する請求項１記載の多重映像生成装置。
【請求項７】
映像生成要素の２等辺三角形の頂角が、３７．４度とされ、ミラーの２等辺三角形の頂角が、６３．４度または４１．８度とされてなることを特徴する請求項６記載の多重映像生成装置。
【請求項８】
映像生成要素が、透過性を有する中間材と、該中間材の内側となる面に配設されたハーフミラーと、同中間材の外側となる面に配設されたスクリーンとを有し、
前記スクリーンに平面映像を映写する映像プロジェクタを備えてなる
ことを特徴とする請求項２または６記載の多重映像生成装置。
【請求項９】
映像生成要素が、自立的に映像生成可能とされてなることを特徴とする請求項２または６記載の多重映像生成装置。
【請求項１０】
自立的に映像生成可能とされた映像生成要素が、ハーフミラーと該ハーフミラーの内側となる面または外側となる面に配設された発光ダイオードとを有することを特徴とする請求項９記載の多重映像生成装置。
【請求項１１】
自立的に映像生成可能とされた映像生成要素が、ミラーと該ミラーの内側となる面に配設された発光ダイオードとを有することを特徴とする請求項９記載の多重映像生成装置。
【請求項１２】
自立的に映像生成可能とされた映像生成要素が、ハーフミラーと該ハーフミラーの外側となる面に配設されたディスプレイとを有することを特徴とする請求項９記載の多重映像生成装置。
【発明の詳細な説明】
【技術分野】
【０００１】
本発明は多重映像生成装置に関する。さらに詳しくは、三角錐状映像生成体を用いて平面映像を多重化して立体感のある映像を生成する多重映像生成装置に関する。
【背景技術】
【０００２】
従来より、平面映像から立体感のある映像を生成させることがなされている。
【０００３】
例えば、特許文献１には、図１４に示すように、反射面を内側にして平面視三角形をなすように幅２０ｍ，高さ１０ｍの３枚の半透過性ミラー１０１，１０２．１０３を立設するとともに、少なくとも１枚のミラーの背面（外側面）からプロジェクタ１０４により図形を映写し、前記ミラー１０１，１０２．１０３により囲まれた空間内の観察者１０５が、ミラー相互により映される像を観賞するよう構成したものが提案されている。この特許文献１の提案に係るものにあっては、前記図形がそれぞれに映るミラーにより囲まれた正６角形の虚像空間１０６が、観察者１０５により観察されるようにされている。
【０００４】
しかしながら、そのような虚像空間１０６を観察者１０５が観察すると、六角柱を基本とした立体的な映像が観察されるが、それらは立体的ではあるものの、単調な映像であるため、観察者１０５の好奇心を喚起できないおそれがある。
【０００５】
また、非特許文献１には、錐体鏡や多面体鏡の鏡面上に小孔や線状孔を規則的に穿設し、それらの小孔や線状孔からの透過光によって多面体を形成する立体像を生成する装置が提案されている。
【０００６】
しかしながら、そのような装置では、小孔や線状孔の位置を動的に変化させることができず、動画像としての立体映像を生成することができないという問題がある。
【特許文献１】特開平９−１５５２８号公報
【非特許文献１】ジオメトリック・アート幾何学の宇宙教室（カスパー・シュワーベ、石黒敦彦共著）、工作舎刊、２００６年、４０−４７頁
【発明の開示】
【発明が解決しようとする課題】
【０００７】
本発明はかかる従来技術の課題に鑑みなされたものであって、平面映像を多重化して立体映像を生成する多重映像生成装置を提供することを目的としている。
【課題を解決するための手段】
【０００８】
本発明の多重映像生成装置は、平面映像を多重化して多重映像を生成する多重映像生成装置であって、内側に多重映像を生成する三角錐状映像生成体を備えてなることを特徴とする。
【０００９】
本発明の多重映像生成装置の第１形態は、三角錐状映像生成体が、３枚の２等辺三角形状とされた映像生成要素からなるものとされる。
【００１０】
本発明の多重映像生成装置の第１形態においては、２等辺三角形の頂角が同一角度とされ、前記角度が１０度〜２０度の範囲とされたり、６３．４度とされたりする。
【００１１】
また、本発明の多重映像生成装置の第１形態においては、２枚の映像生成要素の２等辺三角形の頂角が、３７．４度とされ、残りの１枚の映像生成要素の２等辺三角形の頂角が、４１．８度とされてもよい。
【００１２】
本発明の多重映像生成装置の第２形態は、三角錐状映像生成体が、２枚の２等辺三角形状とされた映像生成要素と、１枚の２等辺三角形状とされたミラーとからなるものとされる。
【００１３】
本発明の多重映像生成装置の第２形態においては、映像生成要素の２等辺三角形の頂角が、３７．４度とされ、ミラーの２等辺三角形の頂角が、６３．４度または４１．８度とされたりする。
【００１４】
本発明の多重映像生成装置においては、映像生成要素が、透過性を有する中間材と、該中間材の内側となる面に配設されたハーフミラーと、同中間材の外側となる面に配設されたスクリーンとを有し、前記スクリーンに平面映像を映写する映像プロジェクタを備えてなるものとされてもよい。
【００１５】
また、本発明の多重映像生成装置においては、映像生成要素が、自立的に映像生成可能とされてもよい。その場合、自立的に映像生成可能とされた映像生成要素が、ハーフミラーと該ハーフミラーの内側となる面または外側となる面に配設された発光ダイオードとを有するものとされたり、ミラーと該ミラーの内側となる面に配設された発光ダイオードとを有するものとされたり、ハーフミラーと該ハーフミラーの外側となる面に配設されたディスプレイとを有するものとされたりする。
【発明の効果】
【００１６】
本発明によれば、変化に富んだ多重映像が生成されるという優れた効果が得られる。
【発明を実施するための最良の形態】
【００１７】
以下、添付図面を参照しながら本発明を実施形態に基づいて説明するが、本発明はかかる実施形態のみに限定されるものではない。
【００１８】
実施形態１
本発明の実施形態１に係る多重映像生成装置を図１に概略図で示す。なお、以下の説明において、多重映像とは三角錐状映像生成体１により生成された映像をいい、立体映像とは、三角錐状映像生成体１により生成された多重映像のうち、特定の立体形状、例えば多面体を形成している映像をいう。
【００１９】
多重映像生成装置Ａは、図１に示すように、三角錐状映像生成体１と、三角錐状映像生成体１の各映像生成面１ａに平面映像を映写する映像プロジェクタ２とを主要構成要素として備えてなるものとされる。なお、映像プロジェクタ２は公知の映像プロジェクタとされる。また、図中の太点線は、生成された映像を示す。このことは、以下の図において同様とされる。
【００２０】
三角錐状映像生成体１は、図２に示すように、各映像生成面１ａを形成する適宜サイズで同形の２等辺三角形状とされた３枚の映像生成要素１０を三角錐状に接合してなるものとされる。
【００２１】
２等辺三角形の頂角θは、１０度〜２０度の範囲とされる。頂角θをこのように設定するのは、映し出される映像を線状にし、かつ、三角錐状映像生成体１の底面にほぼ平行にすれば、生成される映像が球体に近い近似的な三角形多面体のワイヤーフレームの立体映像となるからである。
【００２２】
また、２等辺三角形の頂角θは、６３．４度とすることもできる。このように設定するのは、映し出される映像を線状にし、かつ、三角錐状映像生成体１の底面にほぼ平行にすれば、生成される映像が正確な正二十面体のワイヤーフレームの立体映像となるからである。
【００２３】
なお、頂角θが一致させられていれば、三角錐状映像生成体１の頂上部分の形状が一意に確定し、生成される多重映像に影響がないため、２等辺三角形の底角は必ずしも一致させられる必要はない。
【００２４】
図３に、映像生成要素１０の断面を示す。映像生成要素１０は、図３に示すように、ガラスやプラスチック板などの透過性を有する板材からなる中間材１１と、中間材１１の片面（錐体の内側となる面）に形成されたハーフミラー１２と、その反対面（錐体の外側となる面）に形成されたスクリーン１３とを主要部として備え、それが前記形状に調整されてなるものとされる。
【００２５】
ここで、中間材１１およびハーフミラー１２の透過率の合計が２５％〜５０％の範囲とされるのが好ましく、またハーフミラー１２の反射率が３０％〜５０％の範囲とされるのが好ましい。透過率および反射率をこのように設定することにより、スクリーン１３に映される映像がハーフミラー１２を透過して見える透過像と、ハーフミラー１２により形成される虚像とが混然一体となって多重映像が生成される。
【００２６】
かかる透過率および反射率を有する中間材１１およびハーフミラー１２の組み合わせは、例えば、中間材１１は、厚みが５ｍｍ〜１０ｍｍで透過率が２０％のスモークガラス（またはプラスチック）とされ、ハーフミラー１２は、透過率が１０％で反射率が５０％とされた組み合わせとされる。あるいは、中間材１１は、厚みが５ｍｍ〜１０ｍｍで透過率が９０％以上のガラス（またはプラスチック）とされ、ハーフミラー１２は、透過率が３０％で反射率が３０％とされた組み合わせとされる。
【００２７】
スクリーン１３は、乳白色のプラスチックフィルムまたは薄紙から形成されている。
【００２８】
しかして、かかる特性を有する中間材１１、ハーフミラー１２およびスクリーン１３の組み合わせを用いて映像生成要素１０を形成し、この形成された映像生成要素１０により三角錐状映像生成体１を構成し、ついで映像プロジェクタ２により各映像生成面１ａの外側から映像を映写すれば、その映写された映像は、当該映像生成面１ａを透過するとともに、所定角度で向かい合った他の映像生成面１ａのハーフミラー１２に映されることになる。その結果、三角錐状映像生成体１の内部に多重映像からなる立体映像が生成される。そして、このようにして生成された多重映像は、三角錐状映像生成体１の開放された底面から観察することができ、また三角錐状映像生成体１の内部から観察することもできる。
【００２９】
このように、実施形態１においては、三角錐状映像生成体１の中核をなす映像生成要素１０を適宜サイズとすることができるので、三角錐状映像生成体１のサイズを多重映像を観賞する場所に応じた大きさとできる。
【００３０】
実施形態２
本発明の実施形態２に係る多重映像生成装置の要部を図４に示す。実施形態２は、実施形態１を改変してなるものとされる。
【００３１】
すなわち、実施形態２においては、図４に示すように、三角錐状映像生成体１を構成する映像生成要素２０が、ハーフミラー２１と、ハーフミラー２１の片面（錐体の内側となる面）に所定配列、例えば碁盤目状配列やマトリックス配列にて配設されたＬＥＤ（発光ダイオード）２２とを主要部として備え、映像生成要素２０が自立的に映像生成可能とされて映像プロジェクタを必要としない構成とされている。ここで、ＬＥＤ２２は図示しないＬＥＤドライバにより点滅させられる。
【００３２】
ハーフミラー２１は、透過率が２５％〜５０％の範囲とされるのが好ましく、反射率が２５％〜５０％の範囲とされるのが好ましい。
【００３３】
ＬＥＤ２２は、単色発光に限らず、二色発光や三色発光のものとすることができる。また、ＬＥＤ２２の配線はハーフミラー２１の表面を這わすようにしてなされる。
【００３４】
なお、映像生成要素２０および三角錐状映像生成体１のその余の構成は、実施形態１と同様とされている。
【００３５】
しかして、かかる構成とされた映像生成要素２０からなる三角錐状映像生成体１、つまり多重映像生成装置を暗い場所において、ＬＥＤ２２を適宜点滅させることにより多重映像が三角錐状映像生成体１の内部に生成される。この生成された多重映像は、三角錐状映像生成体１の外側からは鮮明には観察できないものの、三角錐状映像生成体１が発光して見えるため、観察者の関心を引くことができる。
【００３６】
このように、実施形態２においては、映像プロジェクタを必要としない構成とされているので、実施形態１に比して装置の一層の小型化が図られ、その適用範囲が拡大する。
【００３７】
実施形態３
本発明の実施形態３に係る多重映像生成装置の要部を図５に示す。実施形態３は、実施形態２を改変してなるものとされる。
【００３８】
すなわち、実施形態３においては、図５に示すように、三角錐状映像生成体１を構成する映像生成要素３０が、ハーフミラー３１と、ハーフミラー３１の片面（錐体の外側となる面）に所定配列、例えば碁盤目状配列やマトリックス配列にて配設されたＬＥＤ（発光ダイオード）３２とを主要部として備え、映像生成要素３０が自立的に映像生成可能とされて映像プロジェクタを必要としない構成とされている。ここで、ＬＥＤ３２は図示しないＬＥＤドライバにより点滅させられる。
【００３９】
なお、実施形態３のその余の構成は実施形態２と同様とされている。
【００４０】
しかして、かかる構成とされた映像生成要素３０からなる三角錐状映像生成体１、つまり多重映像生成装置を暗い場所において、ＬＥＤ３２を適宜点滅させることにより多重映像が三角錐状映像生成体１の内外部に生成される。この生成された多重映像は、三角錐状映像生成体１の外側からは鮮明には観察できないものの、三角錐状映像生成体１が発光して見えるため、観察者の関心を引くことができる。
【００４１】
このように、実施形態３においては、映像プロジェクタを必要としない構成とされているので、実施形態１に比して装置の一層の小型化が図られ、その適用範囲が拡大される。
【００４２】
実施形態４
本発明の実施形態４に係る多重映像生成装置の要部を図６に示す。実施形態４は、実施形態２を改変してなるものとされる。
【００４３】
すなわち、実施形態４においては、図６に示すように、三角錐状映像生成体１を構成する映像生成要素４０が、ミラー４１と、ミラー４１の反射面（錐体の内側となる面）に所定配列、例えば碁盤目状配列やマトリックス配列にて配設されたＬＥＤ（発光ダイオード）４２とを主要部として備え、映像生成要素４０が自立的に映像生成可能とされて映像プロジェクタを必要としない構成とされている。ここで、ＬＥＤ４２は図示しないＬＥＤドライバにより点滅させられる。
【００４４】
ミラー４１は、反射率が９０％以上とされるのが好ましい。反射率をこのように設定するのは、反射回数の多い多重映像でもより輝度が高く見えるようにし、鮮明な多重映像を生成可能とするためである。
【００４５】
なお、実施形態４のその余の構成は実施形態２と同様とされている。
【００４６】
しかして、かかる構成とされた映像生成要素４０からなる三角錐状映像生成体１、つまり多重映像生成装置において、ＬＥＤ４２を適宜点滅させることにより多重映像が三角錐状映像生成体１の内部に生成される。そして、このようにして生成された多重映像は、三角錐状映像生成体１の開放された底面から観察することができ、また三角錐状映像生成体１の内部から観察することもできる。
【００４７】
このように、実施形態４においては、映像プロジェクタを必要としない構成とされているので、実施形態１に比して装置の一層の小型化が図られ、その適用範囲が拡大される。
【００４８】
実施形態５
本発明の実施形態５に係る多重映像生成装置の要部を図７に示す。実施形態５は、実施形態２を改変してなるものとされる。
【００４９】
すなわち、実施形態５においては、図７に示すように、三角錐状映像生成体１を構成する映像生成要素５０が、ハーフミラー５１と、ハーフミラー５１の片面（錐体の外側となる面）に配設されたディスプレイ、例えばＬＥＤディスプレイ５２とを主要部として備え、映像生成要素５０が自立的に映像生成可能とされて映像プロジェクタを必要としない構成とされている。
【００５０】
なお、実施形態５のその余の構成は実施形態２と同様とされている。
【００５１】
このように、実施形態５においてはＬＥＤディスプレイ５２を用いているので、映像生成要素５０の製作が簡単になし得る。
【００５２】
しかして、かかる構成とされた映像生成要素５０からなる三角錐状映像生成体１、つまり多重映像生成装置において、ＬＥＤディスプレイ５２により映像を映写することにより多重映像が三角錐状映像生成体１の内部に生成される。そして、このようにして生成された多重映像は、三角錐状映像生成体１の開放された底面から観察することができ、また三角錐状映像生成体１の内部から観察することもできる。
【００５３】
このように、実施形態５においては、映像プロジェクタを必要としない構成とされているので、実施形態１に比して装置の一層の小型化が図られ、その適用範囲が拡大される。
【００５４】
実施形態６
本発明の実施形態６に係る多重映像生成装置を図８に概略図で示す。
【００５５】
多重映像生成装置Ａ１は、図８に示すように、三角錐状映像生成体１Ａと、三角錐状映像生成体１Ａの映像生成面１ａに平面映像を映写する映像プロジェクタ２とを主要構成要素として備えてなるものとされる。なお、映像プロジェクタ２は公知の映像プロジェクタとされる。
【００５６】
三角錐状映像生成体１Ａは、図９に示すように、映像生成面１ａを形成する適宜サイズで同形の２等辺三角形状とされた２枚の映像生成要素１０Ａと、２等辺三角形状とされたミラー１５とを三角錐状に接合してなるものとされる。この場合、ミラー１５の反射面は三角錐状映像生成体１Ａの内側となるようにされている。
【００５７】
映像生成要素１０Ａを構成している２等辺三角形の頂角θ１は、３７．４度とされる。
【００５８】
なお、映像生成要素１０Ａのその余の構成は、実施形態１の映像生成要素１０と同様とされている。
【００５９】
ミラー１５の反射率は９０％以上とされるのが好ましい。反射率をこのように設定するのは、映像を発生しないミラーは、純粋に映像の反射だけを目的としているため、できるだけ高い反射率とする必要があるからである。
【００６０】
また、ミラー１５を構成している２等辺三角形の頂角θ２は、６３．４度とされる。
【００６１】
頂角θ１、θ２をこのように設定するのは、映し出される映像を線状にし、三角錐状映像生成体１Ａの底面にほぼ平行にすれば、生成される映像が正確な菱形三十面体のワイヤーフレームの立体映像となるからである。
【００６２】
なお、頂角θ１，θ２が前記の如く設定されていれば、三角錐状映像生成体１Ａの頂上部分の形状が一意に確定し、生成される多重映像に影響がないため、２等辺三角形の底角は必ずしも一致させられる必要はない。
【００６３】
しかして、映像プロジェクタ２により両映像生成面１ａを跨ぐようにして外側から映像を映写すれば、その映写された映像は、各映像生成面１ａを透過して所定角度で向かい合った他の映像生成面１ａのハーフミラーに映されるとともに、ミラー１５にも映されることになる。その結果、三角錐状映像生成体１Ａの内部に多重映像が生成される。この場合、映写される映像が線状で三角錐状映像生成体１Ａの底面に実質的に平行とされていれば、ワイヤーフレームの菱形三十面体を観賞できる。
【００６４】
また、１台の映像プロジェクタ２により両映像生成面１ａを跨ぐようにして外側から映像を映写するようにされているので、構成の簡素化が図られ装置の低コスト化が実現される。
【００６５】
実施形態７
本発明の実施形態７は、実施形態６を改変してなるものとされる。
【００６６】
すなわち、実施形態７においては、三角錐状映像生成体の映像生成要素を実施形態２ないし５のいずれかのものとして、映像プロジェクタを必要としないようにされてなるものとされる。
【００６７】
なお、実施形態７のその余の構成、および作用・効果は実施形態６と同様とされている。
【００６８】
実施形態８
本発明の実施形態８に係る多重映像生成装置を図１０に概略図で示す。実施形態８は、実施形態６を改変してなるものとされる。
【００６９】
より具体的には、多重映像生成装置Ａ２は、三角錐状映像生成体１Ａを三角錐状映像生成体１Ｂに改変してなるものとされる。
【００７０】
すなわち、三角錐状映像生成体１Ｂは、図１１に示すように、ミラー１６の頂角θ２を４１．８度としてなるものとされる。
【００７１】
なお、実施形態８のその余の構成、および作用・効果は実施形態６と同様とされている。
【００７２】
実施形態９
本発明の実施形態９は、実施形態８を改変してなるものとされる。
【００７３】
すなわち、実施形態９においては、三角錐状映像生成体の映像生成要素を実施形態２ないし５のいずれかのものとして、映像プロジェクタを必要としないようにされてなるものとされる。
【００７４】
なお、実施形態９のその余の構成、および作用・効果は実施形態８と同様とされている。
【００７５】
実施形態１０
本発明の実施形態１０に係る多重映像生成装置を図１２に概略図で示す。実施形態１０は、実施形態１を改変してなるものとされる。
【００７６】
より具体的には、多重映像生成装置Ａ３は、三角錐状映像生成体１を三角錐状映像生成体１Ｃに改変してなるものとされる。
【００７７】
すなわち、三角錐状映像生成体１Ｃは、図１３に示すように、三角錐状映像生成体１Ｃの映像生成要素１０Ｂを構成している２つの２等辺三角形の頂角θ１を３７．４度とし、残りの映像生成要素１０Ｃを構成している２等辺三角形の頂角θ２を４１．８度としてなるものとされる。
【００７８】
なお、実施形態１０のその余の構成は、実施形態１と同様とされている。
【００７９】
しかして、映像プロジェクタ２により各映像生成面１ａに外側から映像を映写すれば、その映写された映像は、各映像生成面１ａを透過するとともに、所定角度で向かい合った他の映像生成面１ａのハーフミラーに映されることになる。その結果、三角錐状映像生成体１Ｃの内部に多重映像が生成される。この生成された多重映像は、三角錐状映像生成体１Ｃの外側からは鮮明には観察できないものの、三角錐状映像生成体１Ｃが発光して見えるため、観察者の関心を引くことができる。この場合、映写される映像が線状で三角錐状映像生成体１Ｃの底面に実質的に平行とされていれば、ワイヤーフレームの正確な三角形六十面体つまりペンタキス十二面体を観賞できる。
【００８０】
実施形態１１
本発明の実施形態１１は、実施形態１０を改変してなるものとされる。
【００８１】
すなわち、実施形態１１においては、三角錐状映像生成体の映像生成要素を実施形態２ないし５のいずれかのものとして、映像プロジェクタを必要としないようにされてなるものとされる。
【００８２】
なお、実施形態１１のその余の構成、および作用・効果は実施形態１０と同様とされている。
【産業上の利用可能性】
【００８３】
本発明は、平面映像から立体的な多重映像を生成する装置に適用できる。
【図面の簡単な説明】
【００８４】
【図１】本発明の実施形態１に係る多重映像生成装置の概略図である。
【図２】同多重映像生成装置の三角錐状映像生成体の概略図である。
【図３】同三角錐状映像生成体の映像生成要素の要部断面図である。
【図４】本発明の実施形態２に係る多重映像生成装置の要部断面図である。
【図５】本発明の実施形態３に係る多重映像生成装置の要部断面図である。
【図６】本発明の実施形態４に係る多重映像生成装置の要部断面図である。
【図７】本発明の実施形態５に係る多重映像生成装置の要部断面図である。
【図８】本発明の実施形態６に係る多重映像生成装置の概略図である。
【図９】同多重映像生成装置の三角錐状映像生成体の概略図である。
【図１０】本発明の実施形態８に係る多重映像生成装置の概略図である。
【図１１】同多重映像生成装置の三角錐状映像生成体の概略図である。
【図１２】本発明の実施形態１０に係る多重映像生成装置の概略図である。
【図１３】同多重映像生成装置の三角錐状映像生成体の概略図である。
【図１４】特許文献１の提案に係る映像生成装置の概略図である。
【符号の説明】
【００８５】
Ａ，Ａ１，Ａ２                                多重映像生成装置
１，１Ｂ，１Ｃ                                三角錐状映像生成体
１ａ                                          映像生成面
２                                            映像プロジェクタ
１０，１０Ａ，１０Ｂ，２０，３０，４０，５０    映像生成要素
１１                                            中間材
１２，２１，３１，５１                          ハーフミラー
１３                                            スクリーン
１５，１６，４１                                ミラー
２２，３２，４２，５２，                        ＬＥＤ
【図１】
2008268646.tif 000003
【図２】
2008268646.tif 000004
【図３】
2008268646.tif 000005
【図４】
2008268646.tif 000006
【図５】
2008268646.tif 000007
【図６】
2008268646.tif 000008
【図７】
2008268646.tif 000009
【図８】
2008268646.tif 000010
【図９】
2008268646.tif 000011
【図１０】
2008268646.tif 000012
【図１１】
2008268646.tif 000013
【図１２】
2008268646.tif 000014
【図１３】
2008268646.tif 000015
【図１４】
2008268646.tif 000016